(57)【要約】【課題】外部からの衝撃に対して固形内容物の割れがより確実に防止できるコンパクト容器を提案する。【解決手段】本発明におけるコンパクト容器１は、底板３１から立ち上がる側板３２を有しその内側に化粧料等の固形内容物を収容する中皿３０と、中皿３０をその内側に収める容器本体１０と、容器本体１０に被着される蓋体２０とを備え、容器本体１０は、底壁１１から立ち上がり中皿３０を連続あるいは間欠的に取り囲む起立壁１２を有し、中皿３０の側板３２と容器本体１０の起立壁１２との相互間に架け渡され、中皿３０の底板３１と容器本体１０の底壁１１との間及び側板３２と起立壁１２との間に隙間Ｓ１、Ｓ２をあけて中皿３０を吊り下げ保持する弾性片３３を設けたことを特徴とする。【選択図】図３
2015104394.tif 000002
【特許請求の範囲】
【請求項１】
底板から立ち上がる側板を有しその内側に化粧料等の固形内容物を収容する中皿と、該中皿をその内側に収める容器本体と、該容器本体に被着される蓋体とを備えたコンパクト容器であって、
前記容器本体は、底壁から立ち上がり前記中皿を連続あるいは間欠的に取り囲む起立壁を有し、
該中皿の側板と該容器本体の起立壁との相互間に架け渡され、該中皿の底板と該容器本体の底壁との間及び該側板と該起立壁との間に隙間をあけて該中皿を吊り下げ保持する弾性片を設けたコンパクト容器。
【請求項２】
前記弾性片は、前記側板に一体に連結する連結片と、前記起立壁に支持される支持片と、該連結片と該支持片とを繋ぐとともに前記容器本体の底壁に向けて凸状となる湾曲片とからなる請求項１に記載のコンパクト容器。
【請求項３】
前記弾性片は、前記支持片の側端から突出する突起を備え、
前記起立壁は、前記支持片を下方から支持する上面壁と、該上面壁から突出して該突起に係合し該支持片の該起立壁からの脱落を阻止する凸部とを有する請求項２に記載のコンパクト容器。
【発明の詳細な説明】
【技術分野】
【０００１】
本発明は、ファンデーションやアイシャドウ等の化粧料を収納するコンパクト容器に関するものである。
【背景技術】
【０００２】
ファンデーションやアイシャドウ等の化粧料を収納するコンパクト容器においては、粉末体を加圧して固形化したプレストパウダーの如きを内容物とする容器が知られている。このような容器では、落下等による衝撃に起因した固形内容物の割れを防止することが重要であり、例えば特許文献１には、固形内容物を充填した中皿に対し、部分的に突出する突出部を備える衝撃吸収体によって、下方及び側方から支持するように構成した、コンパクト容器が示されている。
【先行技術文献】
【特許文献】
【０００３】
【特許文献１】実用新案登録第２５３６７２０号公報
【発明の概要】
【発明が解決しようとする課題】
【０００４】
ところで、このような衝撃吸収体を用いるコンパクト容器においては、部分的とはいえ突出部が中皿の外面に直接接触することになることから、この突出部を介して固形内容物に衝撃が伝播するおそれがある。特に、外部から加わる衝撃が比較的大きくなると、固形内容物に伝わる衝撃も大きくなるため、割れにつながるおそれがあった。
【０００５】
本発明は、このような点を解決することを課題とするものであり、その目的は、固形内容物の割れをより確実に防止することができる、新規のコンパクト容器を提案するところにある。
【課題を解決するための手段】
【０００６】
本発明は、底板から立ち上がる側板を有しその内側に化粧料等の固形内容物を収容する中皿と、該中皿をその内側に収める容器本体と、該容器本体に被着される蓋体とを備えたコンパクト容器であって、
前記容器本体は、底壁から立ち上がり前記中皿を連続あるいは間欠的に取り囲む起立壁を有し、
該中皿の側板と該容器本体の起立壁との相互間に架け渡され、該中皿の底板と該容器本体の底壁との間及び該側板と該起立壁との間に隙間をあけて該中皿を吊り下げ保持する弾性片を設けたコンパクト容器である。
【０００７】
前記弾性片は、前記側板に一体に連結する連結片と、前記起立壁に支持される支持片と、該連結片と該支持片とを繋ぐとともに前記容器本体の底壁に向けて凸状となる湾曲片とからなることが好ましい。
【０００８】
前記弾性片は、前記支持片の側端から突出する突起を備え、
前記起立壁は、前記支持片を下方から支持する上面壁と、該上面壁から突出して該突起に係合し該支持片の該起立壁からの脱落を阻止する凸部とを有することが好ましい。
【発明の効果】
【０００９】
容器本体に、底壁から立ち上がって中皿を連続あるいは間欠的に取り囲む起立壁を設け、中皿の側板と容器本体の起立壁との相互間に架け渡され、中皿の底板と容器本体の底壁との間及び側板と起立壁との間に隙間をあけて中皿を吊り下げ保持する弾性片を設けたので、中皿は容器本体に対して変位することができる。このため、外部から衝撃が及んでも、中皿の変位によって固形内容物への衝撃の伝播を抑えることができるので、固形内容物の割れをより確実に防止することができる。
【００１０】
弾性片を、側板に一体に連結する連結片と、起立壁に支持される支持片と、連結片と支持片とを繋ぐとともに容器本体の底壁に向けて凸状となる湾曲片とによって構成する場合は、弾性片の延在長さを長くすることができるので、中皿の変位が妨げられにくくなり、固形内容物の割れの防止が一層確実になる。
【００１１】
弾性片は、支持片の側端から突出する突起を備えるものとし、起立壁に、支持片を下方から支持する上面壁と、上面壁から突出して突起に係合し支持片の起立壁からの脱落を阻止する凸部とを設ける場合は、中皿が側方へ大きく変位する場合でも支持片は起立壁上で確実に支持される。
【図面の簡単な説明】
【００１２】
【図１】本発明に従うコンパクト容器の一実施形態を示す平面図である。
【図２】図１のＡ−Ａに沿う断面図である。
【図３】図１のＢ−Ｂに沿う断面図である。
【図４】図１の中皿を示す、（ａ）は平面図であり、（ｂ）は側面図であり、（ｃ）は（ａ）のＣ−Ｃに沿う断面図である。
【図５】本発明に従うコンパクト容器の他の実施形態を示す、図３に準じた断面図である。
【発明を実施するための形態】
【００１３】
以下、図面を参照して、本発明をより具体的に説明する。なお、本明細書、特許請求の範囲、要約書、及び図面において、「上」とは、容器本体を水平面上に載置した際に、容器本体に対して蓋体が位置する側であり、「下」とは、その反対側である。また、「前」とは、蓋体を開くために指を差し込む凹みが設けられた側であり、「後」とは、蓋体が容器本体に揺動可能に支持される軸部が設けられた側である。また「左」、「右」とは、前から後に向かってコンパクト容器を見る際の左右方向である。
【００１４】
図１〜図３において、符号１は、本発明に従うコンパクト容器の一実施形態を示す。コンパクト容器１は、容器本体１０、蓋体２０、中皿３０、枠体４０とを備えている。
【００１５】
容器本体１０は、底壁１１と、底壁１１から上方に向けて立ち上がる起立壁１２とを備え、底壁１１と起立壁１２とで囲まれる空間内に中皿３０を収容するものである。本実施形態で底壁１１は、平面視で矩形状をなすものであるが、正方形状であっても円形状であってもよい。また、本実施形態の起立壁１２は、底壁１１の縁部に設けられるとともに、その縁部全体を連続的に取り囲んで容器本体１０の外周壁をなしている。また、起立壁１２の後方には、その中央部に切り欠き部１２ａが設けられ、切り欠き部１２ａの両側面には、蓋体２０を揺動可能に保持する軸部１２ｂが設けられている。また、起立壁１２の前方には、蓋体２０を開くために指を差し込む凹み１２ｃが設けられている。更に起立壁１２の天面１２ｄには、底壁１１に向けて凹となる段部１２ｅが設けられ、段部１２ｅの上面（上面壁）１２ｆには、起立壁１２の内周側において上方に向けて突出する凸部１２ｇが設けられている。本実施形態で段部１２ｅは、容器本体１０の前方に２個、後方に１個、及び左右に各２個の合計７個設けられている。
【００１６】
蓋体２０は、底壁１１と同形状になる天板２１と、該天板２１の縁部を連続的に取り囲んで垂下される外周壁２２とを備えている。また、外周壁２２の後方には、切り欠き部１２ａに収まるとともにその側面に軸部１２ｂに嵌まり込む穴２２ａを設けた揺動支持部２２ｂが設けられている。外周壁２２の前方側内周面には、蓋体２０の閉塞姿勢を維持する爪部２２ｃが設けられている。また、天板２１の下面には、鏡２３が設けられている。
【００１７】
中皿３０は、図４に示すように、底板３１と、底板３１から上方に向けて立ち上がる側板３２とを備え、底板３１と側板３２とで囲まれる空間内に化粧料等の固形内容物を収容するものである。なお、本実施形態では、図１〜図３に示すように固形内容物をレフィルタイプのドラムＤに充填し、このドラムＤを中皿３０に収容するようにしているが、中皿３０内に直接固形内容物を充填するようにしてもよい。また、中皿３０内にはブラシＢ等を収納してもよい。
【００１８】
側板３２の外周面には、側板３２に一体に連結するとともに水平方向外側に向けて延在する連結片３３ａと、連結片３３ａの外端に一体に連結するとともに下方に向けて凸状となるＵ字状の湾曲片３３ｂと、湾曲片３３ｂの上端に一体に連結するとともに水平方向外側に向けて延在する支持片３３ｃとからなる弾性片３３が設けられている。また、本実施形態の弾性片３３は、支持片３３ｃの外端に一体に連結するとともに上方へ向けて延在し、更にこの支持片３３ｃの両側端から突出する突起３３ｄを備えている。本実施形態で弾性片３３は、中皿３０の前方に２個、後方に１個、及び左右に各２個の合計７個設けられている。
【００１９】
このように構成される中皿３０を容器本体１０に取り付けるに当たっては、弾性片３３の突起３３ｄが段部１２ｅの凸部１２ｇよりも外側に位置するようにして、支持片３３ｃを上面壁１２ｆ上に載置する。これにより、図２、図３に示すように中皿３０は、底板３１と底壁１１との間に隙間Ｓ１をあけて、また、側板３２と起立壁１２との間に隙間Ｓ２をあけて、容器本体１０に吊り下げ保持される。
【００２０】
枠体４０は、容器本体１０の起立壁１２上に設けられて段部１２ｅを覆うものであり、平面視で全体が矩形状をなすとともに、中央部には矩形状の開口４１が設けられている。また、枠体４０の下面には、下方に向けて突出して容器本体１０の起立壁１２の内周面に嵌合保持される嵌合壁４２を設けている。これにより、段部１２ｅに収められる弾性片３３の上方への抜け出しが阻止される。また、枠体４０の前方には、蓋体２０の爪部２２ｃに係合する爪部４３が一体に設けられている。更に、枠体４０の下面において開口４１と嵌合壁４２との間には、開口４１を取り囲むように設けられて中皿３０の側板３２に僅かに接触する軟質材４４（ゴム、エラストマー、発泡シート等で形成される）が設けられている。
【００２１】
上記のように構成されるコンパクト容器１は、中皿３０が、容器本体１０との間に隙間Ｓ１、Ｓ２をあけて弾性片３３によって吊り下げ保持されているので、外部から衝撃が及んでも、中皿３０が容器本体１０に対して変位することができる。これによって、中皿３０に収めた固形内容物への衝撃の伝播が抑えられるので、固形内容物の割れが防止できる。なお、軟質材４４は中皿３０の側板３２に僅かに接触しているだけなので、中皿３０の変位量に大きな影響を及ぼすことはない。
【００２２】
また弾性片３３は、側板３２と起立壁１２との間を直線的に繋ぐものでもよいが、本実施形態では、連結片３３ａ、湾曲片３３ｂ、及び支持片３３ｃによって構成しているので、弾性片３３の延在長さが長くなる分、中皿３０の変位が妨げられにくくなり、固形内容物の割れの防止が一層確実になる。また、上方へ向けて凸状になる湾曲片を設ける場合は、枠体４０の嵌合壁４２や軟質材４４との接触を防止するべく、枠体４０を本実施形態よりも更に上方に設ける必要があるが、本実施形態のように下方に向けて凸状となる湾曲片３３ｂを設ける場合は、湾曲片３３ｂの上部にスペースができる分、このスペースを利用して嵌合壁４２や軟質材４４を設けることができるので、サイズがよりコンパクトになる。
【００２３】
また弾性片３３の突起３３ｄは、これに係合する凸部１２ｇによって起立壁１２からの脱落が防止されるので、中皿３０が前後、左右に変位する場合でも支持片３３ｃは起立壁１２上で確実に支持される。
【００２４】
図５は、本発明に従う他の実施形態のコンパクト容器１’である。なお、上述した実施形態と同一の機能を有する部位は、同一の符号を付して説明を省略する。
【００２５】
図５に示すコンパクト容器１’は、蓋体２０’の高さを増して、中皿３０の上方にパフＰ等を収納するスペースを設けたものである。この場合も中皿３０は、容器本体１０との間に隙間Ｓ１、Ｓ２をあけて弾性片３３によって吊り下げ保持されているので、外部から衝撃が及んでも容器本体１０に対して変位することができる。
【００２６】
本発明に従うコンパクト容器は、特許請求の範囲に従う範囲で種々の変更を行うことができる。例えば、中皿３０を支持する容器本体１０の起立壁１２は、中皿３０を連続的に取り囲んで容器本体１０の外周壁をなすようにしたが、外周壁は別途設け、その外周壁の内側で中皿３０を間欠的に取り囲むようにしてもよい。また、弾性片３３は、中皿３０の側板３２に一体に連結するようにしたが、容器本体１０の起立壁１２に一体に連結させてもよい。また、弾性片３３は、段部１２ｅの上面壁１２ｆ上に載置されるようにしたが、段部１２ｅを設けずに起立壁１２の天面１２ｄ上に載置されるようにしてもよい。また、蓋体は、容器本体に対して揺動するものに限られず、ねじやアンダーカット等で保持されるようにしてもよい。
【産業上の利用可能性】
【００２７】
本発明によれば、固形内容物を収容する中皿を容器本体に対して隙間をあけて吊り下げ保持できるので、外部からの衝撃が及んでも固形内容物の割れがより確実に防止できる新たなコンパクト容器を提供できる。
【符号の説明】
【００２８】
１、１’  コンパクト容器
１０  容器本体
１１  底壁
１２  起立壁
１２ａ  切り欠き部
１２ｂ  軸部
１２ｃ  凹み
１２ｄ  天面
１２ｅ  段部
１２ｆ  上面壁
１２ｇ  凸部
２０、２０’  蓋体
２１  天板
２２  外周壁
２２ａ  穴
２２ｂ  揺動支持部
２２ｃ  爪部
２３  鏡
３０  中皿
３１  底板
３２  側板
３３  弾性片
３３ａ  連結片
３３ｂ  湾曲片
３３ｃ  支持片
３３ｄ  突起
４０  枠体
４１  開口
４２  嵌合壁
４３  爪部
４４  軟質材
Ｂ  ブラシ
Ｄ  ドラム
Ｐ  パフ
Ｓ１  隙間
Ｓ２  隙間
【図１】
2015104394.tif 000003
【図２】
2015104394.tif 000004
【図３】
2015104394.tif 000005
【図４】
2015104394.tif 000006
【図５】
2015104394.tif 000007